【手続補正書】
【提出日】平成20年1月30日(2008.1.30)
【手続補正１】
【補正対象書類名】明細書
【補正対象項目名】発明の名称
【補正方法】変更
【補正の内容】
【発明の名称】ナビゲーション装置、及び利用者のナビゲーション方法
【手続補正２】
【補正対象書類名】明細書
【補正対象項目名】特許請求の範囲
【補正方法】変更
【補正の内容】
【特許請求の範囲】
【請求項１】  ナビゲーション装置において、
利用者の携帯端末から目的地に関する情報を取得する目的地情報取得手段と、
前記利用者の携帯端末から現在位置に関する情報を取得する現在位置情報取得手段と
前記現在地情報取得手段において取得した現在位置情報に基づいて、前記現在位置の近隣建造物に関する情報を取得する近隣建造物情報取得手段と、
前記周辺建造物情報取得手段にて取得した建造物の見える方向に関する情報を利用者端末から取得し、利用者の視線方向を認識する視線方向認識手段と、
前記視線方向認識手段で認識した視線方向に基づいて、目的地への案内情報を利用者端末に送信する案内情報送信手段と、を有することを特徴とするナビゲーション装置。
【請求項２】  請求項１に記載のナビゲーション装置において、
前記案内情報送信手段は、前記利用者の携帯端末に文字情報による案内情報を送信することを特徴とするナビゲーション装置。
【請求項３】  請求項１に記載のナビゲーション装置において、
前記案内情報送信手段は、
前記利用者の携帯端末に目的地の中継地点についての案内情報を送信する中継地点案内情報送信手段と、
前記中継地点についての案内情報に応じて前記携帯端末から送信されてきた、当該中継地点に到達したことを示す中継地点到達情報に基づいて、別の中継地点又は目的地に関する第２の案内情報を送信する第２案内情報送信手段と、を有することを特徴とするナビゲーション装置。
【請求項４】  利用者を目的地へ案内するナビゲーションシステムにおける利用者のナビゲーション方法であって、ナビゲーション装置が、
利用者端末から目的地に関する情報を取得する目的地情報取得ステップと、
利用者端末から現在位置に関する情報を取得する現在位置情報取得ステップと、
前記現在地情報取得手段において取得した現在位置情報に基づいて、前記現在位置の周辺にある建造物に関する情報を取得する周辺建造物情報取得ステップと、
前記周辺建造物情報取得手段にて取得した建造物の見える方向に関する情報を利用者端末から取得し、利用者の視線方向を認識する視線方向認識ステップと、
前記視線方向認識手段で認識した視線方向に基づいて、目的地への案内情報を利用者端末に送信する案内情報送信ステップと、を実行することを特徴とするナビゲーション方法。
【手続補正３】
【補正対象書類名】明細書
【補正対象項目名】０００１
【補正方法】変更
【補正の内容】
【０００１】
【発明の属する技術分野】
本発明は、ナビゲーション装置及び利用者のナビゲーション方法に関する。
【手続補正４】
【補正対象書類名】明細書
【補正対象項目名】０００４
【補正方法】変更
【補正の内容】
【０００４】
本発明は、かかる課題を解決するためになされたものであり、携帯端末を所持している利用者を目的地へ効果的に案内することのできるナビゲーション装置及び方法を提供することを目的とする。
【手続補正５】
【補正対象書類名】明細書
【補正対象項目名】０００５
【補正方法】変更
【補正の内容】
【０００５】
【課題を解決するための手段】
前記目的を達成するための発明は、ナビゲーション装置において、
利用者の携帯端末から目的地に関する情報を取得する目的地情報取得手段と、
前記利用者の携帯端末から現在位置に関する情報を取得する現在位置情報取得手段と
前記現在地情報取得手段において取得した現在位置情報に基づいて、前記現在位置の近隣建造物に関する情報を取得する近隣建造物情報取得手段と、
前記周辺建造物情報取得手段にて取得した建造物の見える方向に関する情報を利用者端末から取得し、利用者の視線方向を認識する視線方向認識手段と、
前記視線方向認識手段で認識した視線方向に基づいて、目的地への案内情報を利用者端末に送信する案内情報送信手段と、を有することを特徴とする。
【手続補正６】
【補正対象書類名】明細書
【補正対象項目名】０００６
【補正方法】変更
【補正の内容】
【０００６】
また、本発明において、前記案内情報送信手段は、前記利用者の携帯端末に文字情報による案内情報を送信することとしてもよい。
【手続補正７】
【補正対象書類名】明細書
【補正対象項目名】０００７
【補正方法】変更
【補正の内容】
【０００７】
また、前記案内情報送信手段は、前記利用者の携帯端末に目的地の中継地点についての案内情報を送信する中継地点案内情報送信手段と、
前記中継地点についての案内情報に応じて前記携帯端末から送信されてきた、当該中継地点に到達したことを示す中継地点到達情報に基づいて、別の中継地点又は目的地に関する第２の案内情報を送信する第２案内情報送信手段と、を有することとしてもよい。
【手続補正８】
【補正対象書類名】明細書
【補正対象項目名】０００８
【補正方法】変更
【補正の内容】
【０００８】
また、本発明は、利用者を目的地へ案内するナビゲーションシステムにおける利用者のナビゲーション方法であって、ナビゲーション装置が、
利用者端末から目的地に関する情報を取得する目的地情報取得ステップと、
利用者端末から現在位置に関する情報を取得する現在位置情報取得ステップと、
前記現在地情報取得手段において取得した現在位置情報に基づいて、前記現在位置の周辺にある建造物に関する情報を取得する周辺建造物情報取得ステップと、
前記周辺建造物情報取得手段にて取得した建造物の見える方向に関する情報を利用者端末から取得し、利用者の視線方向を認識する視線方向認識ステップと、
前記視線方向認識手段で認識した視線方向に基づいて、目的地への案内情報を利用者端末に送信する案内情報送信ステップと、を実行することを特徴とする。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１８
【補正方法】変更
【補正の内容】
【００１８】
＝＝＝処理の流れその１＝＝＝
次に本実施の形態における処理の参考例である流れその１を、図２をも参照しつつ説明する。図２は、サーバー４０における処理の流れその１を説明するための図である。
【手続補正１６】
【補正対象書類名】明細書
【補正対象項目名】００５０
【補正方法】変更
【補正の内容】
【００５０】
【発明の効果】
本発明によれば、利用者の視線方向を正しく認識した上で、該認識に基づいて利用者を目的地へ有効に案内することができるナビゲーション方法を実現することが可能となる。
【手続補正１７】
【補正対象書類名】明細書
【補正対象項目名】００５１
【補正方法】削除
【補正の内容】
【手続補正１８】
【補正対象書類名】明細書
【補正対象項目名】００５２
【補正方法】削除
【補正の内容】
【手続補正１９】
【補正対象書類名】明細書
【補正対象項目名】００５３
【補正方法】削除
【補正の内容】
【手続補正２０】
【補正対象書類名】明細書
【補正対象項目名】００５４
【補正方法】削除
【補正の内容】
【手続補正２１】
【補正対象書類名】明細書
【補正対象項目名】００５５
【補正方法】削除
【補正の内容】
【手続補正２２】
【補正対象書類名】明細書
【補正対象項目名】００５６
【補正方法】削除
【補正の内容】
【手続補正２３】
【補正対象書類名】明細書
【補正対象項目名】００５７
【補正方法】削除
【補正の内容】